(57)【要約】  回転するドアと、ドアに枢着されたシール部材であって、床と接触する第１の位置と、床と非接触の第２の位置との間を枢動するように構成されたシール部材と、ドアの開閉に応じて、シール部材の枢動運動を引き起こすように構成されたレバーと、レバーを非作動位置の方へ付勢し押しやる付勢部と、レバーを作動させるように設けられている分離展開ストッパと、を備えるドアアセンブリ。【選択図】図１
2016532034.tif 000002
【特許請求の範囲】
【請求項１】
回転して開放および閉鎖されるように構成されたドアと、
前記ドアの底縁部に沿って枢着されたシール部材であって、床と接触する第１の位置と、前記床と非接触の第２の位置との間を枢動するように構成されたシール部材と、
前記ドアの開閉に応じて、前記シール部材の枢動運動を作動するように構成されたレバーと、
前記レバーを非作動位置の方へ付勢し、前記シール部材を前記第２の位置の方へ付勢するように構成された付勢部材と、
を備えるドアアセンブリ。
【請求項２】
前記ドアから分離しており、前記ドアが閉鎖されるときに、前記シール部材を前記第１の位置へ移動するように前記レバーを作動させる位置に配置されている展開ストッパをさらに備える、請求項１に記載のドアアセンブリ。
【請求項３】
前記ドアを閉鎖すると、前記展開ストッパが、前記レバーを前記ドアに向かう方向に押しやり、かつ、前記シール部材を前記第１の位置の方へ押しやり、
前記ドアを開放すると、前記付勢部材が、前記レバーを前記ドアから離れる方向に押しやり、かつ、前記シール部材を前記第２の位置の方へ押しやる、請求項２に記載のドアアセンブリ。
【請求項４】
前記シール部材および前記レバーが一体的に形成され、前記ドアからそれぞれ反対の方向に延在する、請求項１に記載のドアアセンブリ。
【請求項５】
前記シール部材および前記レバーは、前記ドアの底部に沿う共通の水平な枢軸の周りを枢動する、請求項１に記載のドアアセンブリ。
【請求項６】
前記シール部材は、細長い剛性の帯状部材を備えており、
前記細長い剛性の帯状部材は、前記細長い剛性の帯状部材から共通の方向に伸びる複数の弾性変形可能な毛を有する、請求項１に記載のドアアセンブリ。
【請求項７】
前記ドアを閉鎖すると、前記レバーは前記ドアに向かう方向に押しやられ、かつ、前記シール部材は前記第１の位置の方へ押しやられ、
前記ドアを開放すると、前記付勢部材は前記レバーを前記ドアから離れる方向に、かつ、前記シール部材を前記第２の位置の方へ押しやる、請求項１に記載のドアアセンブリ。
【請求項８】
前記シール部材は、前記ドアの底部の長さに沿って延在する、請求項１に記載のドアアセンブリ。
【請求項９】
ドアの底縁部に沿って枢着されたシール部材であって、床と接触する第１の位置と、前記床と非接触の第２の位置との間を枢動するように適用されたシール部材と、
前記ドアの開閉に応じて、前記ドアに取付けられている前記シール部材の枢動運動を引き起こすように構成されたレバーと、
前記レバーを非作動位置の方へ付勢し、前記シール部材を前記第２の位置の方へ付勢するように構成された付勢部材と、
を備えるドアシールアセンブリ。
【請求項１０】
前記レバーから分離され、前記ドアの近くに配置するように設けられている、展開ストッパであって、前記ドアが閉鎖されるときに、前記レバーを作動させる展開ストッパをさらに備える、請求項９に記載のドアシールアセンブリ。
【請求項１１】
前記シール部材および前記レバーが一体的に形成され、それぞれ反対の方向に延在する、請求項９に記載のドアシールアセンブリ。
【請求項１２】
前記シール部材および前記レバーは、前記ドアの底部に沿う共通の水平な枢軸の周りを枢動する、請求項９に記載のドアシールアセンブリ。
【請求項１３】
前記シール部材は、細長い剛性の帯状部材を有しており、
前記細長い剛性の帯状部材は、前記細長い剛性の帯状部から共通の方向に伸びる複数の弾性変形可能な毛を有する、請求項９に記載のドアシールアセンブリ。
【請求項１４】
前記ドアを閉鎖すると、前記レバーを前記ドアに向かう方向に押しやり、かつ、前記シール部材を前記第１の位置の方へ押しやり、
前記ドアを開放すると、前記付勢部材が前記レバーを前記ドアから離れる方向に押しやり、かつ、前記シール部材を前記第２の位置の方へ押しやる、請求項９に記載のドアシールアセンブリ。
【請求項１５】
前記レバーは、前記ドアが閉鎖されるときに、前記シール部材を前記第１の位置の方へ枢動し、前記ドアが開放されるときに、前記シール部材を前記第２の位置へ枢動するように設けられている、請求項９に記載のドアシールアセンブリ。
【発明の詳細な説明】
【技術分野】
【０００１】
本発明は概してドアシールアセンブリに関し、特に、ドアの底縁部に沿って取り付けられるように構成されたドアシールアセンブリに関する。ドアシール材は、ドアが閉鎖されているときの床と接触する第１の位置と、ドアが開放されているときの床と非接触であり、それによりドアが自由に回転することを許容する第２の位置と、の間で回転軸の周りを枢動するように構成される。第１の位置と第２の位置の間のドアシールアセンブリの枢動運動は、ドアの開閉に応じて、レバーによって引き起こされる。
【背景技術】
【０００２】
ドアシール材は、ドアの底部と床との間の隙間を封止するために、ドアの底縁部に沿って設け得ることが一般的に知られている。一般的に、ドアシール材は、ドアの密閉性を確実にするために設けられ、特に隣接する空間が異なる温度、湿度レベル等に維持されている場合に、隣接する空間の間を、隙間を通って空気が流れないようにするために設けられる。本発明が特に適用されうるそのような隣接空間の１つの例としては、飛行機内の乗客区画と格納区画が挙げられる。例えば、飲料カートは、隣接する乗客区画よりも低い温度に維持された空間に格納される場合がある。従って、底部ドアシール材は、この用途において、ドアが閉鎖されているときに、２つの空間の温度差を維持し、２つの空間の間を空気が流れることを防止するために有用である。
【０００３】
ドアの縁部に沿って設けられる従来のドアシール材は、固定されている。従って、床の上の妨害物（例えば永久的妨害物およびごみ）に対処できず、ドアの回転運動を制限し、ドアが回転して開閉されるときに床に沿って引きずられ、シール材の早期摩耗を引き起こす。摩耗したシール材は効果がなくなるため、交換しなければならない。これは、コストの増大および作業中断時間をもたらす。さらに、固定されたシール材は、ドアが回転して開閉されるときに、カーペットの上を引きずられ、カーペットの早期摩耗を引き起こす。
【０００４】
従って、ドアシール材の早期摩耗を低減し、床のカバー材を保護し、及び、ドアの自由な回転を促すために、本発明は、ドアが開閉されるときに、自動的に枢動して床と接触及び非接触となるように、構成された改良型ドアシール材を提供する。
【発明の概要】
【発明が解決しようとする課題】
【０００５】
従って、ドアの底部と床との間の隙間を封止するように構成された底部ドアシール材を提供することが本発明の目的である。
【０００６】
ドアが回転するときのシール材及び床カバー材の早期摩耗を防止するために、ドアが開放されているときに床と非接触となるように枢動するように構成されたドアシール材を提供することが本発明のさらなる目的である。
【０００７】
ドアが閉鎖されるときに床と接触する位置まで自動的に移動し、それにより床シール材として有効になり、ドアが開放されるときに床と非接触となる位置まで移動し、それによりドアが自由に回転することを許容する作動式ドアシール材を提供することが本発明のさらなる目的である。
【０００８】
ハンズフリー操作用に構成されたドアシール材を提供することが本発明のさらなる目的である。
【課題を解決するための手段】
【０００９】
前述の目的及び他の目的、利点を達成するため、本発明の第１実施例は、回転して開放および閉鎖されるように構成されたドアと、ドアの底縁部に沿って枢着され、床と接触する第１の位置と、床と非接触の第２の位置との間を枢動するように構成されたシール部材と、ドアの開閉に応じて、シール部材の枢動運動を引き起こすように構成されたレバーと、レバーを非作動位置の方へ付勢し、シール部材を第２の位置の方へ付勢するように構成された付勢部材と、を備えるドアアセンブリを提供する。
【００１０】
さらなる態様では、ドアから分離された展開ストッパであって、ドアが閉鎖されるときに、シール部材を第１の位置へ移動するようにレバーを作動させる位置に配置されている展開ストッパを備えてもよい。
【００１１】
さらなる態様では、ドアを閉鎖すると、展開ストッパがレバーをドアに向かう方向に押しやり、シール部材を第１の位置の方へ押しやるようにしてもよく、ドアを開放すると、付勢部材がレバーをドアから離れる方向に押しやり、シール部材を第２の位置の方へ押しやるようにしてもよい。
【００１２】
さらなる態様では、シール部材およびレバーが一体的に形成され、ドアからそれぞれ反対の方向に延在してもよい。
【００１３】
さらなる態様では、シール部材およびレバーは、ドアの底部に沿う共通の水平な枢軸の周りを枢動してもよい。
【００１４】
さらなる態様では、シール部材は、細長い剛性の帯状部材を備えており、細長い剛性の帯状部材は、細長い剛性の帯状部材から共通の方向に伸びる複数の毛を有してもよい。
【００１５】
さらなる態様では、複数の毛は、ドアの経路において、障害物に対処できるように弾性変形可能であってもよい。
【００１６】
さらなる態様では、ドアを閉鎖すると、レバーをドアに向かう方向に押しやり、及びシール部材を第１の位置の方へ押しやってもよく、ドアを開放すると、付勢部材がレバーをドアから離れる方向に、及びシール部材を第２の位置の方へ押しやってもよい。
【００１７】
さらなる態様では、シール部材は、ドアの底部の長さに沿って延在してもよい。
【００１８】
他の実施形態において、本願では、ドアの底部に沿って取付けられるドアシールアセンブリが提供される。ドアシールアセンブリは、ドアの底部に沿って枢着されたシール部材であって、床と接触する第１の位置と、床と非接触の第２の位置との間を枢動するように適合されたシール部材と、ドアの開閉に応じて、シール部材の枢動運動を引き起こすように設けられたレバーと、レバーを非作動位置の方へ付勢し、シール部材を第２の位置の方へ付勢するように設けられた付勢部材と、を備える。
【００１９】
さらなる態様では、ドアシールアセンブリは、ドアの近くに配置するように設けられ、レバーから分離され、ドアが閉鎖されるときに、レバーを作動させる展開ストッパを備えてもよい。
【００２０】
さらなる態様において、ドアを閉鎖すると、レバーが移動して分離展開ストッパと接触し、それによりレバーをドアに向かう方向に押しやり、シール部材を床と接触する第１の位置の方へ枢動させてもよい。
【００２１】
さらなる態様において、ドアを開放すると、レバーが移動して分離展開ストッパと非接触になり、それにより付勢部材がレバーをドアから離れる方向に押しやることを許容し、その結果、シール部材を床と非接触になる第２の位置の方へ枢動させてもよい。第２の位置は床から浮き上がっている。
【００２２】
さらに別の実施形態では、本願で提供されるのはドアアセンブリであって、ドアと、床と接触する第１の位置と、床と非接触の第２の位置との間で移動するように構成されたドアの底縁部に沿って枢着されたシール部材と、ドアが開閉されるときに第１および第２の位置の間でシール部材を枢動するように構成されたレバーと、作動レバーを非作動位置の方へ付勢するように構成された付勢部材と、ドアが閉鎖されるときに作動レバーを作動するように構成された分離展開ストッパと、を備えるドアアセンブリである。
【００２３】
本発明の実施形態は、上記の特徴および構成の１つまたは複数あるいはいずれかの組合せを含むことができる。
【００２４】
本発明のさらなる特徴、態様および利点は、後続の詳細な説明に記載され、および部分的にはその記載から当業者に容易に明らかになるか、または本明細書に記載されるように本発明を実行することによって理解されるであろう。前述の概要および以下の詳細な説明の両方は、本発明の様々な実施形態を提示し、および特許請求される本発明の特性および特徴を理解するための概説または枠組みを提供することを目的としていることが理解されよう。添付図面は、本発明のさらなる理解を提供することを目的とし、および本明細書に組み込まれ且つ本明細書の一部を構成する。
【００２５】
本発明のこれらのおよび他の特徴、態様および利点は、添付図面を参照して以下の本発明の詳細な説明を読むとき、より良く理解される。
【図面の簡単な説明】
【００２６】
【図１】本発明の実施形態によるドアシールアセンブリの側面図であり、床と非接触（すなわち浮き上がっている）のドアシール材を示す。
【図２】図１のドアシールアセンブリの側面図であり、床と接触するドアシール材を示す。
【図３】図１のドアシールアセンブリの側面図であり、サイドカバープレートが取り外された状態で示されている。
【図４】床と非接触の位置にあるドアシールアセンブリを示す斜視図である。
【図５】床と非接触に位置し、それによりドアシール材と床との間をドアが自由に回転することを許容する隙間を提供するドアシールアセンブリを示す正面図である。
【図６】床と接触するドアシールアセンブリを示す斜視図である。
【図７】床と接触することにより、ドアが閉鎖されるときに、ドアの底部でシール材を有効とするドアシールアセンブリを示す正面図である。
【発明を実施するための形態】
【００２７】
次に、添付図面を参照し、これ以後、本発明をより詳細に記載する。添付図面には、本発明の例示的実施形態が示されている。しかしながら、本発明は、多くの異なる形態で具現化されてもよく、本明細書に記載された代表的な実施形態に限定されるように解釈されるべきでない。それら例示的実施形態は、本開示が徹底的および完全になるように、ならびに本発明の範囲を完全に伝え、および当業者が本発明を作製、使用且つ実行することを可能にするように提供される。様々な図面を通して同様の参照番号は同様の要素を指す。
【００２８】
図面を参照すると、ドアシールアセンブリ、および、シール材を備えるドアアセンブリの実施形態が提供される。ドアシールアセンブリ、およびシール材を備えるドアアセンブリは、一般的に、底部ドアシール材を有しており、底部ドアシール材は、ドアが閉鎖されるときに床と接触する第１の位置と、ドアが開放されるときにシール材が床から持ち上げられる（すなわち浮き上がる）第２の位置との間で移動（例えば枢動）する。それにより、ドアが閉鎖されるときにドアを密閉し、ドアが開放されるときにドアが自由に回転することを許容するように構成されている。ドアが回転するときにシール材を持ち上げる能力は、さらに、他の利点の中でもとりわけ、シール材を早期摩耗から保護し、床カバー材（すなわちカーペット）の摩耗を防止する。
【００２９】
本明細書に記載されるアセンブリは、シール材を移動するためにアクチュエータ（例えばレバー）を使用し、このアクチュエータは、ドアがほぼ閉鎖されているとき、および閉鎖されているときに、展開ストッパまたは同様の構造物と係合するように構成されている。この構成は、ドアが閉鎖されるとき、シール材が「自動的に」展開されることを可能にする。従って、ハンズフリー型の展開、およびドア閉鎖と同時の展開を実現する。アセンブリは、既存のドアに取り付けられる改装キットとして構成されてもよく、又は、完全なドアアセンブリとして提供されてもよい。本明細書に記載されるアセンブリは、あらゆる用途における底部ドアシール材を提供するように使用可能であり、戸口の経路に永久的および／または一時的な妨害物が存在し得る用途に特に適している。本ドアシール材は底部ドアシール材として本明細書に記載されているが、本シール材はサイドまたは上部ドアシール材として使用するために容易に適合できることが想定される。
【００３０】
図１〜３を参照すると、本発明の実施形態によるドアシールアセンブリは、全体的に参照番号２０で示されている。ドアシールアセンブリ２０は、ドア３０の底部または底縁部に沿って枢着されるように適合されたシール部材２２と、ドアの開閉に応じてシール部材の回転（例えば枢動）運動を作動するように構成されたレバー２４と、を概して備える。シール部材２２およびレバー２４は、一体的に形成されてもよく、共通の枢軸３２の周りを反対方向に枢動する。示されるように、シール部材２２およびレバー２４は、ドア３０の底縁部に沿って水平に配置された細長い円筒状ロッド４０の周りを枢動し得る。ロッド４０は、その両端部を一対の離間されたカバープレート４４によって保持されてもよく、カバープレート４４は、ロッド４０および／またはシール部材およびレバー構成が枢軸３２の周りを枢動することを許容する。示されるように、作動レバー２４は、ロッド部材４０の周りでシール部材２２の正反対に位置し、レバーが移動されるときシール部材の展開および後退を作動する。
【００３１】
ドアシールアセンブリ２０はさらに、ドア３０から離れる方向にレバー２４を付勢するように配置された付勢部材２６と、ドアがほぼ閉鎖されているとき、および完全に閉鎖されているときにレバーを作動するためにレバー２４と係合するように位置付けられた分離展開ストッパ２８と、を備える。この構成において、付勢部材２６は、ドアがある程度まで開放されており、レバーが展開ストッパ２８と接触していないきに、レバー２４をドア３０から離れる方向に押しやることができ、それによりシール部材２２を自動的に持ち上げる。示されるように、付勢部材２６はトーションばねの形態を取ってもよく、トーションばねは、ドアが閉鎖されるときにレバー２４がドア３０の方向に押しやられると、負荷を生み出すために枢軸３２の周りで回転し、レバー２４が展開ストッパ２８と非接触になると枢軸３２の周りで弧状に負荷を解放する。トーションばねの回転の程度は、約９０度未満でよく、より好ましくは約４５度である。
【００３２】
展開ストッパ２８は、ドアがほぼ閉鎖されるとき、および閉鎖された状態に維持されるときにレバーと接触するようにレバー２４の近くに位置付けられる。従って、展開ストッパ２８は、例えば、戸枠またはドア３０が取り付けられるフレームの他の部分、戸枠を支持する壁、戸枠に隣接する壁（例えば戸枠の壁に対して垂直な壁）に取り付けられてもよい。展開ストッパ２８は床に取り付けられてもよい。展開ストッパ２８は、ドア３０のヒンジ側または先端側の周りでドアフレームまたはその近くで、ドアがほぼ閉鎖されるときにレバー２４が展開ストッパ２８と接触するような位置に取り付けられてもよい。展開ストッパ２８は、戸枠からわずかな距離だけ窪められ、その結果、ドア３０の最後の数度の移動の間にレバーが移動され、ドアが完全に閉鎖されるとレバーを収容するようにドアと展開ストッパとの間に空間が設けられるようにしてもよい。展開ストッパ２８は、どのような材料から構成されてもよく、特定の実施形態では、レバー２４およびドア３０からの衝撃力の吸収を補助するエラストマー材料から構成される。
【００３３】
この構成では、ドアが部分的から完全に開放されるとき、レバー２４は、ドア３０から離れるように付勢される。ドア３０がほぼ閉鎖されるとき、レバー２４は展開ストッパ２８と接触する。ドア３０の閉鎖移動を連続するために適用される力は、レバー２４をドアの方向に押しやり、それにより付勢部材２６に負荷を与える。ドア３０が完全に閉鎖されているときに、レバー２４はドアに最も近づき、付勢部材２６は最大の負荷を受ける。ドア３０が開放されるとき、付勢部材２６は、負荷が解放され、レバー２４をドアから離れる方向に押しやる。レバー２４が展開ストッパ２８と非接触状態のときに、付勢部材２６はドアから最も遠い位置にレバーを押しやることができる。レバー２４の回転角度、レバーの長さ、ばね力、および展開ストッパ２８の位置は、レバーと展開ストッパとの間の初期接触地点をカスタマイズするように調整可能であり、その結果、ドアが特定角度まで閉じたときにシール部材２２が移動する。
【００３４】
示されているドア３０は、片側に沿ってヒンジ接続され、フレームの片側に対して垂直な軸の周りで枢動する。ドアシールアセンブリ２０は、垂直に開閉するロールアウェードアを備える他のドア種で使用されてもよいが、これに限定されない。ドアシールアセンブリ２０のある特定の用途は、飛行機内のカート置場ドアの真下にシール材を提供することであり、そこではドアが閉鎖されるときドアの真下の空気流が阻止される。飛行機内および飛行機内部取付け以外の他の用途が考えられる。
【００３５】
作動レバー２４とシール部材２２との間の接続、および特定の実施形態の２つの構成要素の一体的な構成は、レバーの移動と同時にシール部材が移動（例えば回転または枢動）することを引き起こす。従って、レバー２４は、シール部材２２の枢軸運動、特に、枢軸３２の周りの反対方向の回転運動を引き起こす。
【００３６】
図１および４を参照すると、ドア３０が少なくとも部分的に開放されるとき、シール部材２２は床３４との非接触状態に位置付けられ、これは本明細書において「第２の位置」と呼ばれ、それによってドアが自由に回転することを許容する。本明細書で使用される際、用語「非接触」は、床３４に対して、任意の角度または高さまで、持ち上げられる、後退される、または浮き上がることを意味し得る。従って、第２の位置において、シール部材２２は全体的に床表面と非接触状態であるが、床の上の妨害物と接触し得る。床３４の上の永久的妨害物は、敷居、導管、配線、及び、照明用帯板を含み得るが、これに限定されない。床の上の一時的妨害物は、ごみ、及び、部分ラグを含み得るが、これに限定されない。
【００３７】
レバー２４及びシール部材２２は、ほぼ反対方向に延在する。例えば、第２の位置において、観察者の視点に依存して、シール部材２２は、ドア３０の前面から延在し、下方を指し得、レバー２４は、ドアの背面からほぼ反対方向に延在し上方を指し得る。レバー２４およびシール部材２２はほぼ直線状の構成で配置されるが、レバーは、ドアがほぼ閉鎖されるときにドアを閉鎖するのに必要な力を弱めるためにわずかな湾曲を有してもよい。図５は、シール部材が第２の位置にあるときのシール部材２２の底部と床との隙間を示す。
【００３８】
図２および６を参照すると、ドア３０が完全に閉鎖されているとき、レバー２４はドアの背面に対向する位置に押しやられ、シール部材２２は、床３４と接触するようにほぼ垂直に配置され、これは本明細書においてシール部材２２の「第１の位置」と呼ばれる。第１の位置において、シール部材２２は床と接触し、図７に示されるようにドアの底部と床との空隙を封じる。
【００３９】
図１〜図４及び図６を参照すると、シール部材２２は、細長い剛性の帯状部材３６を備えてもよく、帯状部材３６はそれから共通の方向に伸びる複数の毛３８を有する。代替実施形態において、細長い帯状部材はエラストマー状であってもよく、弾性的に変形可能であってもよい。作動レバー２４は、ロッド部材４０周りの剛性帯状部材３６の延長部分であってもよい。代替実施形態では、ロッド部材４０は回転してもよく、レバー２４及び剛性帯状部材３６は協働的又は独立的にロッド部材に固定されてもよい。
【００４０】
剛性帯状部材３６は、実質的にドア３０の長さにわたって広がるが、部分的な長さが想定される。剛性帯状部材３６は、細長いロッド４０の周りに取り付けられてもよく、細長いロッド４０は、それ自体が枢軸３２の周りを回転してもよく、または回転可能に固定されてもよく、その周りをシール部材２２が回転する。毛３８は、凹凸のある床表面および上述の床３４の上の永久的および一時的な妨害物に適応するために、弾性的に変形可能であることが好ましい。弾性的に変形可能な毛はさらに、床に対するドアシールアセンブリ２０の正確な配置の必要性を緩和する。換言すると、毛３８は、ドアシールアセンブリ２０がドアの下の隙間よりも高さがある場合にわずかに変形する（例えば曲がる）ことができる。ブラシシール材以外のシール材も考えられる。
【００４１】
特定の実施形態では、剛性帯状部材３６は、毛３８を保持するか受け入れるように構成された金属、プラスチック、成形熱可塑性樹脂、又は、それらの組合せから構成されてもよい。ブラシシール材の場合、剛性帯状部材３６は、複数の毛の中、及び、周囲に成形されてもよい。ブラシシール材は、毛の均一な配置を有してもよく、特定の態様では、ブラシシール材は、例えば、９８．５％以上、より好ましくは９９％以上、空気の侵入を防ぐことができる。弾性的なゴム弾性シール材の場合、シール材は、不飽和ゴム、飽和ゴム、熱可塑性エラストマー等から構成されてもよい。特定の例では、弾性的なゴム弾性帯状シール材は、ｐ型またはｌ型シリコンを含むことができる。弾性的なゴム弾性シール材は、流体の流れを止めるための用途において好まれ得る。
【００４２】
使用中、作動レバー２４は、ドア３０の垂直面に対して斜めの角度で上方に延在する。作動レバー２４がドア３０の方向に移動される（例えば押しやられる）と（すなわち、作動レバーとドアの垂直面との間の角度が減少するとき）、剛性帯状部材３６は、時計回り方向に回転し、シール部材２２を実質的に垂直に位置付ける。換言すると、ドア３０の方向に作動レバー２４が移動すると、シール部材２２は、床に対して斜めの角度の位置から、実質的に垂直な位置へ移動され、それによりドアの底部と床との隙間を封じる。
【００４３】
特定の用途では、ドアシールアセンブリ２０又はドアシールアセンブリを備えるドアは、ギャレーカート置場の戸口として利用されてもよい。例えば、飛行機内で、ギャレーカートはギャレーカート置場に保管することができ、本明細書に記載のドアシールアセンブリをギャレーカート置場のドアに提供し、飛行機の床の物理的な摩耗および亀裂を低減すること、および／または従来のドアシールアセンブリに起因すると場合により考えられるスリップの危険性を低減することが有利である。
【００４４】
前述の記載は単に例として本発明の実施形態を提供する。他の実施形態が同様の機能を実行し得ることおよび／または同様の結果を達成し得ることが考えられる。あらゆるそのような均等な実施形態および例は、本発明の範囲内にあり、付随の請求項によって包含されることが意図される。
【図１】
2016532034.tif 000003
【図２】
2016532034.tif 000004
【図３】
2016532034.tif 000005
【図４】
2016532034.tif 000006
【図５】
2016532034.tif 000007
【図６】
2016532034.tif 000008
【図７】
2016532034.tif 000009
【国際調査報告】
2016532034.tif 000010